(57)【要約】【課題】発信器が電池挿入からどのくらいの期間稼働しているのか、発信器の電池交換を行ったのか、という情報を得るための電池交換にかかる履歴を管理する。【解決手段】識別情報を含む発信器情報を発信する発信器であって、電力を供給する電池と、前記電池の電池電圧を測定する電圧検知部と、前記電池の電池電圧が０Ｖでなくなることをトリガとして、前記電池を交換したとして電池交換回数を加算する交換回数処理部と、前記電池の電池電圧が０Ｖでなくなることをトリガとして、前記電池の稼働時間を計測する稼働時間計測部と、前記電池交換回数と前記電池電圧と前記稼働時間とを前記発信器情報に含める情報生成部と、を備える。【選択図】図１
2020162053.tif 000002
【特許請求の範囲】
【請求項１】
識別情報を含む発信器情報を発信する発信器であって、
電力を供給する電池と、
前記電池の電池電圧を測定する電圧検知部と、
前記電池の電池電圧が０Ｖでなくなることをトリガとして、前記電池を交換したとして電池交換回数を加算する交換回数処理部と、
前記電池の電池電圧が０Ｖでなくなることをトリガとして、前記電池の稼働時間を計測する稼働時間計測部と、
前記電池交換回数と前記電池電圧と前記稼働時間とを前記発信器情報に含める情報生成部と、
を備えることを特徴とする発信器。
【請求項２】
前記交換回数処理部は、前記電圧検知部で検知した電池電圧が直前の電池電圧と同じ場合、前記電池交換回数を加算しない、
ことを特徴とする請求項１に記載の発信器。
【請求項３】
前記稼働時間計測部は、前記電圧検知部で検知した電池電圧が直前の電池電圧と同じ場合、前記稼働時間の計測をリセットしない、
ことを特徴とする請求項１に記載の発信器。
【請求項４】
発信器を識別する識別情報に対応づけられていて、当該発信器の電池の交換回数である電池交換回数と前記電池の電池電圧と前記電池の稼働時間とを含む発信器情報を受信する情報受信部と、
前記発信器情報の更新を行う情報更新部と、
前記発信器情報の前記稼働時間または電池電圧の少なくとも１つに基づいて前記電池の交換を要求する交換要求を生成する交換要求生成部と、
前記発信器情報の前記電池交換回数に基づいて前記電池が交換されたことを示す交換通知を生成する交換通知生成部と、
を備えることを特徴とする電池管理装置。
【請求項５】
発信器と電池管理装置とを備えるシステムにおいて、
前記発信器は、
当該発信器を識別する識別情報に対応づけられていて、前記発信器の電池の交換回数である電池交換回数と前記電池の電池電圧と前記電池の稼働時間とを含む発信器情報を発信し
前記電池管理装置は、
前記発信器情報を受信する情報受信部と、
前記発信器情報の更新を行う情報更新部と、
前記発信器情報の前記稼働時間または電池電圧の少なくとも１つに基づいて前記電池の交換を要求する交換要求を生成する交換要求生成部と、
前記発信器情報の前記電池交換回数に基づいて前記電池が交換されたことを示す交換通知を生成する交換通知生成部と、
を備える、
ことを特徴とするシステム。
【請求項６】
コンピュータを、
発信器を識別する識別情報に対応づけられていて、当該発信器の電池の交換回数である電池交換回数と前記電池の電池電圧と前記電池の稼働時間とを含む発信器情報を受信する情報受信部と、
前記発信器情報の更新を行う情報更新部と、
前記発信器情報の前記稼働時間または電池電圧の少なくとも１つに基づいて前記電池の交換を要求する交換要求を生成する交換要求生成部と、
前記発信器情報の前記電池交換回数に基づいて前記電池が交換されたことを示す交換通知を生成する交換通知生成部と、
として機能させるためのプログラム。
【発明の詳細な説明】
【技術分野】
【０００１】
本発明は、発信器、電池管理装置、システムおよびプログラムに関する。
【背景技術】
【０００２】
従来、高齢者や子供などの見守りや捜索などを行うことが可能な見守りサービスが知られている。
【０００３】
特許文献１には、発信器であるビーコン装置を高齢者や子供などの対象者に保持させておき、各所に設置された受信器で発信器からの信号を受信することにより、対象者の所在を特定して、対象者の見守りや捜索等に役立てる技術が開示されている。
【０００４】
見守りサービスに用いる発信器には、電池から電力の供給を受けて動作するものがある。このような発信器を用いる場合、発信器が、電池電圧を測定して電池電圧が予め定めた閾値を下回ったことや、電池交換から電池の交換時期として予め想定した稼働時間が経過したことで電池の交換時期を判断するようにしているものがある。
【先行技術文献】
【特許文献】
【０００５】
【特許文献１】特開２０１７−２０８０３０号公報
【発明の概要】
【発明が解決しようとする課題】
【０００６】
しかしながら、このような見守りサービスでは、発信器の電池交換を利用者が行っているため、見守りサービスの提供者側では電池の交換作業が正しく行われたのか、つまり、中古電池を挿入される等を確認することはできなかった。また、発信器が電池挿入からどのくらいの期間稼働しているのか、発信器の電池交換を行ったのかを確認することもできなかった。
【０００７】
本発明は、上記に鑑みてなされたものであって、発信器が電池挿入からどのくらいの期間稼働しているのか、発信器の電池交換を行ったのか、また、交換作業は正しく行われたのかという情報を得て電池交換にかかる履歴を管理することを目的とする。
【課題を解決するための手段】
【０００８】
上述した課題を解決し、目的を達成するために、本発明は、識別情報を含む発信器情報を発信する発信器であって、電力を供給する電池と、前記電池の電池電圧を測定する電圧検知部と、前記電池の電池電圧が０Ｖでなくなることをトリガとして、前記電池を交換したとして電池交換回数を加算する交換回数処理部と、前記電池の電池電圧が０Ｖでなくなることをトリガとして、前記電池の稼働時間を計測する稼働時間計測部と、前記電池交換回数と前記電池電圧と前記稼働時間とを前記発信器情報に含める情報生成部と、を備えることを特徴とする。
【発明の効果】
【０００９】
本発明にかかる発信器、電池管理装置、システムおよびプログラムは、発信器の電池交換にかかる履歴を管理することができる、という効果を奏する。
【図面の簡単な説明】
【００１０】
【図１】図１は、本実施形態に係る見守りシステムの構成の一例を示す説明図である。
【図２】図２は、発信器のハードウェア構成の一例を示すブロック図である。
【図３】図３は、感知器のハードウェア構成の一例を示すブロック図である。
【図４】図４は、探索対象管理データのデータ構成を例示的に示す図である。
【図５】図５は、見守りシステムの各装置が有する機能構成の一例を示すブロック図である。
【図６】図６は、見守りシステムの発信器が実行する発信処理の流れを例示的に示すフローチャートである。
【図７】図７は、見守りシステムの感知器が実行する電池管理処理の流れを例示的に示すフローチャートである。
【発明を実施するための形態】
【００１１】
以下、図面を参照して、発信器、電池管理装置、システムおよびプログラムの実施形態を詳細に説明する。なお、以下に説明する実施形態は、発信器、電池管理装置、システムおよびプログラムの一実施形態であって、その構成や仕様等を限定するものではない。
【００１２】
図１は、本実施形態に係る見守りシステム１の構成の一例を示す説明図である。実施形態に係る見守りシステム１は、一又は複数の発信器１０と、一又は複数の感知器２０と、サーバ装置３０と、一又は複数のユーザ端末４０とを備える。見守りシステム１は、見守り対象に取り付けられた発信器１０を感知器２０が感知したことを通知された場合に、発信器１０を感知したことを予め定められたユーザ端末４０等の機器に通知することにより、高齢者や子供などの見守り対象の見守りや捜索を行うシステムである。すなわち、見守りシステム１は、見守り対象に取り付けられた発信器１０を感知する感知システムである。
【００１３】
発信器１０は、Ｂｌｕｅｔｏｏｔｈ（登録商標）やＢＬＥ（Bluetooth（登録商標）  Low  Energy）等の近距離無線通信技術により、一又は複数の不特定の感知器２０に発信器コードを発信する。ここで、発信器コードは、発信器１０を識別可能な識別情報である。発信器１０は、小型の端末であって、見守り対象に取り付けられる。見守り対象は、高齢者や子供などの人間であってもよいし、ペット等の動物であってもよいし、鞄等の物品であってもよい。人間や動物に取り付けられた場合には、発信器１０は、人間（高齢者や子供など）や動物の見守りや捜索に用いられる。物品に取り付けられた場合には、発信器１０は、忘れ物等の捜索に用いられる。
【００１４】
感知器２０は、電池管理装置として機能するものであって、発信器１０から発信された発信器コードを感知する通信機器である。感知器２０は、任意の一又は複数の場所に設置される。例えば、感知器２０の設置場所は、住居や、高齢者ホームや、路上や、駅や、イベント会場等に設置される。感知器２０は、発信器１０から発信器コードを受信した場合に、インターネットやＶＰＮ（Virtual  Private  Network）等のネットワークを介して、発信器１０を感知したことを示す感知情報をサーバ装置３０に送信する。ここで、感知情報は、受信した発信器コードと、感知器２０を識別可能な機器コードとを有している。なお、感知器２０は、後述するが、スマートフォンや、タブレット端末等の機器であってもよい。
【００１５】
サーバ装置３０は、見守りシステム１を管理するセンター等に設置される情報処理装置である。サーバ装置３０は、インターネットやＶＰＮ等のネットワークを介して、感知器２０やユーザ端末４０等と接続している。サーバ装置３０は、発信器コードと、ユーザ端末４０とを関連付けた通知先テーブルを記憶している。サーバ装置３０は、感知情報を受信した場合に、感知情報に含まれる発信器コードに関連付けられているユーザ端末４０を通知先テーブルから抽出する。サーバ装置３０は、抽出したユーザ端末４０に向けて、感知情報に含まれる発信器コードの発信器１０を感知したことを示す発見情報を送信する。なお、サーバ装置３０は、複数の情報処理装置等により構成されるシステムであってもよい。
【００１６】
ユーザ端末４０は、見守りシステム１のユーザが使用するスマートフォンやタブレット端末等の機器である。ユーザ端末４０は、サーバ装置３０から発見情報を受信した場合に、発信器１０の付近の感知器２０が発信器１０を感知したことを報知する。すなわち、ユーザ端末４０は、発信器１０の付近の感知器２０が発信器１０を感知したことを報知する報知端末として機能する。
【００１７】
また、ユーザ端末４０は、発信器１０から発信された発信器コードを感知する機能を有していてもよい。この機能を有している場合には、ユーザ端末４０は、発信器１０から発信された発信器コードを感知する感知器となる。すなわち、ユーザ端末４０は、発信器１０から発信された発信器コードを感知する感知器２０（電池管理装置）として機能する。そして、感知器２０として機能するユーザ端末４０は、発信器１０から発信器コードを受信した場合に、発信器１０を感知したことを示す感知情報をサーバ装置３０に送信する。感知情報には、ユーザ端末４０を識別可能な機器コード、該ユーザ端末４０の位置情報を有している。
【００１８】
次に、見守りシステム１が有する各機器のハードウェア構成について説明する。
【００１９】
まず、発信器１０のハードウェア構成について説明する。
【００２０】
図２は、発信器１０のハードウェア構成の一例を示すブロック図である。発信器１０は、記憶部１１、制御部１２、送信部１３、電圧検知部１４、カウンタ１５、電池１６を備える。制御部１２は、記憶部１１、送信部１３、電圧検知部１４、カウンタ１５に接続されており、各部を制御する。
【００２１】
電池１６は、例えばボタン電池であり、各部に電力を供給する。電圧検知部１４は、電池１６の電池電圧を測定する。
【００２２】
カウンタ１５は、制御部１２からの指示によりリセットし、カウントアップを開始する（稼働時間計測）。
【００２３】
記憶部１１は、フラッシュメモリ（Flash  Memory）等の不揮発性の記憶装置である。記憶部１１は、例えば、発信器１０を識別可能な発信器コード、電池１６の交換回数である電池交換回数等を記憶する。電池交換回数は、制御部１２により書き換えられる。
【００２４】
制御部１２は、ワンチップマイコンなどで構成されている。制御部１２は、電池１６が発信器１０に挿入されると、電圧検知部１４の電池電圧が０Ｖでなくなることをトリガとして、記憶部１１に記憶している電池交換回数を１インクリメントするとともに、カウンタ１５にリセット指示を出力する。
【００２５】
また、制御部１２は、定期的（例えば、１秒ごと）に記憶部１１から読み出した発信器コードと電池交換回数と電圧検知部１４で測定している電池１６の電池電圧と稼働時間（カウンタ１５のカウント値）とを発信器情報として送信部１３に出力する。
【００２６】
送信部１３は、制御部１２からの発信器コード、電池交換回数、電池電圧、稼働時間（カウンタ１５のカウント値）である発信器情報を近距離無線通信により不特定の感知器２０やユーザ端末４０に発信する。例えば、送信部１３は、Ｂｌｕｅｔｏｏｔｈ（登録商標）やＢＬＥ（Bluetooth（登録商標）  Low  Energy）等の近距離無線通信技術により通信を行う。
【００２７】
次に、感知器２０および感知器２０として機能する場合のユーザ端末４０のハードウェア構成について説明する。ここでは、感知器２０を例にして説明する。
【００２８】
図３は、感知器２０のハードウェア構成の一例を示すブロック図である。感知器２０は、記憶部２１、受信部２２、通信部２３、及び制御部２４を備える。記憶部２１、受信部２２、通信部２３、及び制御部２４は、システムバス２５を介して相互に接続している。
【００２９】
制御部２４は、感知器２０の全体の動作を制御し、感知器２０が有する各種の機能を実現する。制御部２４は、ＣＰＵ（Central  Processing  Unit）と、ＲＯＭ（Read  Only  Memory）と、ＲＡＭ（Random  Access  Memory）とを備える。ＣＰＵは、感知器２０の動作を統括的に制御する。ＲＯＭは、各種プログラムやデータを記憶する記憶媒体である。ＲＡＭは、各種プログラムを一時的に記憶したり、各種データを書き換えたりする記憶媒体である。そして、ＣＰＵは、ＲＡＭをワークエリア（作業領域）としてＲＯＭ又は記憶部２１等に格納されたプログラムを実行する。
【００３０】
制御部２４は、詳細は後述するが、発信器情報（発信器コード、電池交換回数、電池電圧、稼働時間）、受信時刻、受信状態を含む探索対象管理データ（図４参照）を管理する。
【００３１】
記憶部２１は、ＲＯＭや、フラッシュメモリや、半導体メモリ素子などの記憶装置である。記憶部２１は、制御プログラム２１１や後述する探索対象管理データを記憶する。制御プログラム２１１は、オペレーティングシステムや、感知器２０が備えている機能を発揮させるためのプログラムである。また、記憶部２１は、予め感知器２０毎に決められた感知器ＩＤを記憶している。
【００３２】
ここで、図４は探索対象管理データのデータ構成を例示的に示す図である。記憶部２１は、制御部２４から入力する発信器情報（発信器コード等）、受信時刻、受信状態（接近、離脱）を記憶する。このようにして電池交換にかかる履歴を管理することにより、受信側である感知器２０の受信時刻から、発信器１０側の必要な情報を取り出すことが可能となっている。なお、受信状態としては、発信器１０が感知器２０の感知エリア内に入ったことを示す「接近」と、発信器１０が感知器２０の感知エリアから外れた（離れた）ことを示す「離脱」を設けている。
【００３３】
受信部２２は、近距離無線通信により発信器１０から発信された発信器情報を受信し、制御部２４に出力するためのインタフェースである。更に詳しくは、受信部２２は、ＢｌｕｅｔｏｏｔｈやＢＬＥ等の近距離無線通信技術により通信を行う。
【００３４】
通信部２３は、インターネットやＶＰＮ等のネットワークを介して、サーバ装置３０と接続するためのインタフェースである。通信部２３は、制御部２４が出力する接近通知、離脱通知、電池の交換要求（電池切れニア）、電池の交換通知（電池交換回数が変わっているので交換されたことがわかる）、をサーバ装置３０にネットワークを介して送信する。
【００３５】
次に、実施形態に係る見守りシステム１の各装置が有する機能構成について説明する。図５は、見守りシステム１の各装置が有する機能構成の一例を示すブロック図である。
【００３６】
まず、発信器１０について説明する。制御部１２は、ワンチップマイコンに格納されたプログラムに従って動作することで、図５に示す各機能部をワンチップマイコン上に生成する。具体的には、発信器１０の制御部１２は、機能部として、交換回数処理部１０１と、稼働時間計測部１０２と、情報生成部１０３とを備える。
【００３７】
交換回数処理部１０１は、電池１６の電池電圧が０Ｖでなくなることをトリガとして、電池１６を交換したとして電池交換回数を加算する。なお、交換回数処理部１０１は、電圧検知部１４で検知した電池電圧が直前の電池電圧と同じであれば同じ電池１６を発信器１０に対して出し入れをしただけとみなし、電池交換回数を加算しない。
【００３８】
稼働時間計測部１０２は、電池１６の電池電圧が０Ｖでなくなることをトリガとして、電池１６の稼働時間をリセットし計測する。なお、稼働時間計測部１０２は、電圧検知部１４で検知した電池電圧が直前の電池電圧と同じであれば同じ電池１６を発信器１０に対して出し入れをしただけとみなし、稼働時間をリセットしない。
【００３９】
情報生成部１０３は、発信器コードと電池交換回数と電池電圧と稼働時間とを含む発信器情報を生成する。
【００４０】
次に、感知器２０について説明する。制御部２４のＣＰＵは、ＲＡＭに展開した制御プログラム２１１に従って動作することで、図５に示す各機能部をＲＡＭ上に生成する。具体的には、感知器２０の制御部２４は、機能部として、情報受信部２０１と、情報更新部２０２と、交換要求生成部２０３と、交換通知生成部２０４とを備える。
【００４１】
情報受信部２０１は、発信器１０が発信する発信器情報を受信する。
【００４２】
情報更新部２０２は、発信器情報を受信すると、当該発信器情報と探索対象管理データを基に発信器情報の更新を行う。
【００４３】
交換要求生成部２０３は、発信器情報の稼働時間または電池電圧に基づいて電池１６の交換を要求する交換要求を生成する。
【００４４】
交換通知生成部２０４は、発信器情報の電池交換回数に基づいて電池１６が交換されたことを示す交換通知を生成する。
【００４５】
次に、実施形態に係る見守りシステム１の発信器１０が実行する発信処理について説明する。ここで、図６は見守りシステム１の発信器１０が実行する発信処理の流れを例示的に示すフローチャートである。
【００４６】
まず、発信器１０の交換回数処理部１０１は、電圧検知部１４で検知した電池電圧が０Ｖでなくなる、つまり、電池１６が発信器１０に挿入されたと判断した場合（ステップＳ１のＹｅｓ）、記憶部１１に記憶している電池交換回数を１インクリメントする（ステップＳ２）。
【００４７】
次いで、発信器１０の稼働時間計測部１０２は、カウンタ１５をリセットし、１秒ごとにカウントアップを開始して稼働時間を計測する（ステップＳ３）。
【００４８】
すなわち、発信器１０側においては、時刻のカウント機能として、電池１６の挿入後に１秒ごとにカウントアップしていき、電池１６の交換後にはまたカウンタを０に戻す。
【００４９】
なお、発信器１０の交換回数処理部１０１および稼働時間計測部１０２は、電圧検知部１４で検知した電池電圧が直前の電池電圧と同じであれば同じ電池１６を発信器１０に対して出し入れをしただけとみなし、電池１６が発信器１０に挿入されたとは判断せず、電池交換回数のインクリメントおよびカウンタ１５のリセットを行わない。
【００５０】
その後、発信器１０の情報生成部１０３は、定期的（例えば、１秒ごと）に、発信器コード、電池交換回数、電池電圧、稼働時間（カウンタ１５のカウント値）を含む発信器情報を生成し、送信部１３より発信する（ステップＳ４）。
【００５１】
発信器１０の情報生成部１０３は、ステップＳ４における発信器情報の生成・発信を、電圧検知部１４で検知した電池電圧が０Ｖになるまで（ステップＳ５のＹｅｓ）、繰り返す。
【００５２】
これにより、発信器１０は、発信器コード、電池電圧、電池交換回数、稼働時間（カウンタ１５のカウント値）を含む発信器情報を発信する。
【００５３】
次に、実施形態に係る見守りシステム１の感知器２０が実行する電池管理処理について説明する。ここで、図７は見守りシステム１の感知器２０が実行する電池管理処理の流れを例示的に示すフローチャートである。
【００５４】
まず、感知器２０の情報受信部２０１は、発信器１０が発信した発信器情報を受信部２２を介して受信すると（ステップＳ１１のＹｅｓ）、探索対象管理データを参照し、新たに受信した発信器情報であるかを判断する（ステップＳ１２）。
【００５５】
感知器２０の情報更新部２０２は、新たに受信した発信器情報であると判断した場合（ステップＳ１２のＹｅｓ）、発信器１０が感知器２０の受信可能エリアに入ったと判断し、追加受信であるとして、記憶部２１の探索対象管理データに追加し更新する（ステップＳ１３）。また、感知器２０の交換要求生成部２０３では、稼働時間または電池電圧を基に、電池切れが近いことを示す電池切れニアかを判断する（ステップＳ１４）。
【００５６】
感知器２０の交換要求生成部２０３は、発信器情報の稼働時間または電池電圧に基づいて電池切れニアと判断した場合（ステップＳ１４のＹｅｓ）、発信器１０が感知器２０の受信可能エリアに入ったことを示す接近通知と、電池切れが近い（電池切れニアである）ことを示す電池交換要求を生成して、発信器情報および受信時刻とともにサーバ装置３０に送信し（ステップＳ１５）、ステップＳ２０に進む。
【００５７】
一方、感知器２０の交換要求生成部２０３は、発信器情報の稼働時間に基づいて電池切れニアでないと判断した場合（ステップＳ１４のＮｏ）、接近通知を発信器情報および受信時刻とともにサーバ装置３０に送信し（ステップＳ１６）、ステップＳ２０に進む。
【００５８】
また、感知器２０の交換要求生成部２０３および交換通知生成部２０４は、新たに受信した発信器情報でない、つまり、すでに受信中の発信器１０の発信器情報であると判断した場合（ステップＳ１２のＮｏ）、発信器情報に含まれる電池交換回数や電池電圧、稼働時間を基に電池切れニアであるか、または、電池交換回数に変化があるかを判断する（ステップＳ１７）。
【００５９】
感知器２０の交換要求生成部２０３および交換通知生成部２０４は、発信器情報の稼働時間または電池電圧に基づいて電池切れニアである、または、電池交換回数に変化があると判断した場合（ステップＳ１７のＹｅｓ）、電池切れが近いことを示す交換要求、または、電池が交換されたことを示す電池交換通知を生成して発信器情報および受信時刻とともにサーバ装置３０に送信し（ステップＳ１８）、ステップＳ１９に進む。
【００６０】
感知器２０の交換要求生成部２０３および交換通知生成部２０４は、発信器情報の稼働時間に基づいて電池切れニアでない、または、電池交換回数に変化がないと判断した場合（ステップＳ１７のＮｏ）、そのままステップＳ１９に進む。
【００６１】
ステップＳ１９では、感知器２０の情報更新部２０２は、記憶部２１の探索対象管理データを最新情報に更新し、ステップＳ２０に進む。
【００６２】
ステップＳ２０では、感知器２０の情報更新部２０２は、最終受信時刻から所定時間（例えば、１０分）経過した発信器１０があるかを判断する。
【００６３】
感知器２０の情報更新部２０２は、最終受信時刻から所定時間経過した発信器１０があると判断した場合（ステップＳ２０のＹｅｓ）、発信器１０が感知器２０の受信可能エリアから離れたと判断し、探索対象管理データの受信機１０の受信状態を離脱へ変更する更新を行う（ステップＳ２１）。また、感知器２０の情報更新部２０２は、発信器１０が感知器２０の受信可能エリアから離れたことを示す離脱通知を発信器情報および受信時刻とともにサーバ装置３０に送信する（ステップＳ２２）。
【００６４】
その後、感知器２０の情報受信部２０１は、ステップＳ１１に戻り、発信器１０が発信した発信器情報の受信に待機する。
【００６５】
これにより、感知器２０は、発信器情報（発信器コード、電池交換回数、電池電圧、稼働時間）、受信時刻、受信状態を含む探索対象管理データを管理することができる。また、サーバ装置３０では、各所に設置された感知器２０から送信される接近通知、離脱通知、交換要求、交換通知とこれらとともに送信される発信機情報および受信時刻を収集することにより、見守りサービスで使用している全ての発信器１０の電池交換の履歴を管理することができる。
【００６６】
このように本実施の形態によれば、感知器２０が、発信器１０の発信器情報（発信器コード、電池交換回数、電池電圧、稼働時間）、受信時刻、受信状態を含む探索対象管理データを管理していることにより、発信器１０の電池交換にかかる履歴を管理することができる、という効果を奏する。これにより、発信器１０に時計機能を搭載しなくても、感知器２０での受信時刻から稼働時間を引き算することによって電池１６がいつ交換されたのかを知ることができる。また、発信器情報に含まれる稼働時間から、発信器１０が電池１６の挿入からどのくらいの期間稼働しているのかを知ることができる。さらに、発信器情報に含まれる電池電圧や稼働時間から、電池切れニアなのかを知ることができる。
【００６７】
すなわち、発信器１０の電池交換時に周囲に感知器２０がない場合であっても、発信器１０が感知器２０の受信可能エリアに入った時に、電池１６の交換時刻や電池交換回数を知ることができる。
【００６８】
なお、本実施の形態においては、感知器２０側で電池切れニアを判断するようにしたが、これに限るものではなく、発信器１０側で電池切れニアを判断してから感知器２０に送信するようにしてもよい。
【００６９】
また、感知器２０側で電池管理処理を行うのではなく、サーバ装置３０側で電池管理処理を行うようにしてもよい。この場合、サーバ装置３０が電池管理装置として機能する。
【符号の説明】
【００７０】
１        システム
１０      発信器
１４      電圧検知部
１６      電池
２０、３０、４０    電池管理装置
１０１    交換回数処理部
１０２    稼働時間計測部
１０３    情報生成部
２０１    情報受信部
２０２    情報更新部
２０３    交換要求生成部
２０４    交換通知生成部
【図１】
2020162053.tif 000003
【図２】
2020162053.tif 000004
【図３】
2020162053.tif 000005
【図４】
2020162053.tif 000006
【図５】
2020162053.tif 000007
【図６】
2020162053.tif 000008
【図７】
2020162053.tif 000009